(57)【要約】  位置情報測定実現方法、端末、および、アクセスネットワーク要素が提供される。位置情報測定実現方法は、アクセスネットワーク要素に適用され、補助測位情報を端末に送信することを含み、補助測位情報は、測位測定のために端末によって使用される。
2021520715.tif 000002
【特許請求の範囲】
【請求項１】
アクセスネットワーク要素に適用される位置情報測定実現方法であって、
補助測位情報を端末に送信することを含み、前記補助測位情報は、測位測定のために前記端末によって使用される、方法。
【請求項２】
前記補助測位情報は、
測位ノードに関する情報と、
前記端末によって報告される測位ノードの数についての制限しきい値と、
有効な測位エリアに関する情報と
のうちの少なくとも１つの情報を含む、請求項１に記載の方法。
【請求項３】
前記測位ノードに関する前記情報は、
前記測位ノードのメディアアクセス制御（ＭＡＣ）アドレスと、
前記測位ノードの特徴ＭＡＣアドレスと、
前記測位ノードの名称と、
前記測位ノードの特徴名称と、
前記測位ノードのプロトコルバージョンと、
前記測位ノードの動作帯域と、
前記測位ノードの動作チャンネルと、
前記測位ノードの信号強度と、
前記測位ノードのタイプ情報と、
前記測位ノードの位置情報と
のうちの少なくとも１つの情報を含む、請求項２に記載の方法。
【請求項４】
前記補助測位情報を前記端末に送信することは、前記補助測位情報を、位置サービス（ＬＣＳ）シグナリングまたは無線リソース制御（ＲＲＣ）シグナリングを通じて前記端末に送信することを含む、請求項１に記載の方法。
【請求項５】
前記補助測位情報を前記端末に送信することは、前記補助測位情報をシステムブロードキャストメッセージを通じて前記端末に送信することを含む、請求項４に記載の方法。
【請求項６】
前記補助測位情報を前記端末に送信する前に、
コアネットワーク要素、ネットワーク管理デバイス、および近隣の基地局デバイスのうちの１つから前記補助測位情報を取得することをさらに含む、請求項１に記載の方法。
【請求項７】
前記測位ノードは、ブルートゥースノードまたはワイヤレスフィデリティ（Ｗｉｆｉ）ノードを含み、
前記アクセスネットワーク要素は基地局を含む、請求項２〜６のいずれか１項に記載の方法。
【請求項８】
端末に適用される位置情報測定方法であって、
アクセスネットワーク要素によって送信される補助測位情報を受け取ることと、
前記補助測位情報に従って測位測定を行うこととを含む、方法。
【請求項９】
前記補助測位情報は、測位ノードに関する情報と、前記端末によって報告される測位ノードの数についての制限しきい値と、有効な測位エリアに関する情報とのうちの少なくとも１つの情報を含む、請求項８に記載の方法。
【請求項１０】
前記測位ノードに関する前記情報は、前記測位ノードのメディアアクセス制御（ＭＡＣ）アドレスと、前記測位ノードの特徴ＭＡＣアドレスと、前記測位ノードの名称と、前記測位ノードの特徴名称と、前記測位ノードのプロトコルバージョンと、前記測位ノードの動作帯域と、前記測位ノードの動作チャンネルと、前記測位ノードの信号強度と、前記測位ノードのタイプ情報と、前記測位ノードの位置情報とのうちの少なくとも１つの情報を含む、請求項９に記載の方法。
【請求項１１】
前記補助測位情報に従って前記測位測定を行うことは、
補助測位情報要件を満たしていない少なくとも１つの測位ノードが測位ノードから除外されるようフィルタリングされるように、前記補助測位情報に従って前記測位ノードをフィルタリングすることと、
前記フィルタリング後に取得される測位ノードに従って測位測定を行うこととを含む、請求項１０に記載の方法。
【請求項１２】
前記測位ノードは、ブルートゥースノードまたはワイヤレスフィデリティ（Ｗｉｆｉ）ノードを含み、
前記アクセスネットワーク要素は基地局を含む、請求項９〜１１のいずれか１項に記載の方法。
【請求項１３】
アクセスネットワーク要素であって、
メモリと、プロセッサと、前記メモリに格納されるとともに前記プロセッサ上で実行可能な位置情報測定実現プログラムとを含み、前記位置情報測定実現プログラムは、前記プロセッサによって実行されると、請求項１〜７のいずれか１項に記載の位置情報測定実現方法を実現する、アクセスネットワーク要素。
【請求項１４】
端末であって、
メモリと、プロセッサと、前記メモリに格納されるとともに前記プロセッサ上で実行可能な位置情報測定プログラムとを含み、前記位置情報測定プログラムは、前記プロセッサによって実行されると、請求項８〜１２のいずれか１項に記載の位置情報測定方法を実現する、端末。
【請求項１５】
プロセッサによって実行されると、請求項１〜７のいずれか１項に記載の位置情報測定実現方法を実現する位置情報測定実現プログラムを格納するように構成される、コンピュータ読取可能記憶媒体。
【請求項１６】
プロセッサによって実行されると、請求項８〜１２のいずれか１項に記載の位置情報測定方法を実現する位置情報測定プログラムを格納するように構成される、コンピュータ読取可能記憶媒体。
【発明の詳細な説明】
【技術分野】
【０００１】
本願は、２０１８年４月３日に中華人民共和国特許庁に出願された中国特許出願第２０１８１０２９２０７９．８号に対する優先権を主張しており、その開示は、本明細書において、その全文が参照により援用される。
【背景技術】
【０００２】
技術分野
本願は、ワイヤレス通信の分野に関し、たとえば、位置情報測定方法およびその実現方法、端末ならびにアクセスネットワーク要素に関する。
【０００３】
背景
通信技術の継続的な発達により、ワイヤレスフィデリティ（Ｗｉｆｉ（登録商標）: Wireless Fidelity）技術およびブルートゥース（登録商標）（ＢＴ: Bluetooth（登録商標））技術が人々によって広く利用されている。関連するＷｉｆｉ技術およびＢＴ技術は、第３世代パートナーシッププロジェクト（３ＧＰＰ: 3rd Generation Partnership Project）システムのための潜在的な屋内測位向上技術として使用され得る。
【０００４】
Ｗｉｆｉ測位システムは、商業測位サービス（ＬＢＳ: Location Based service）のために広く利用されている。ユーザ機器（ＵＥ: User Equipment）は、Ｗｉｆｉ受信機を使用して測位ノード（Ｗｉｆｉノード）の受信信号強度指示（ＲＳＳＩ: received signal strength indication）および他の情報を収集し、測位ノードの位置またはカバレージエリアのデータベースによって位置を決定する。ＢＴ測位システムでは、ブルートゥースローエナジー（ＢＬＥ: Bluetooth Low Energy）ビーコンは、ＵＥのために位置情報および関係するコンテキストインタラクションを提供する潜在的な技術として考えられる。ＢＴビーコンは、ＢＬＥを用いてＢＴ信号をブロードキャスト送信する送信機である。ＵＥがＢＴビーコンに近接している場合、ＵＥは、ＢＴビーコン識別子（ＩＤ）を取得し得、ＢＴビーコン位置は、データベースのクエリから取得され得る。
【０００５】
専用機器を用いてオペレータによる手動ドライブテストを行うためのコストおよび複雑さを低減するために、３ＧＰＰは、ユニバーサル地上無線アクセスネットワーク（ＵＴＲＡＮ: Universal Terrestrial Radio Access Network）および進化型ユニバーサル地上無線アクセスネットワーク（Ｅ−ＵＴＲＡＮ: Evolved Universal Terrestrial Radio Access Network）システムのリリース１０（Release-10）におけるドライブテスト最小化（ＭＤＴ: Minimization of Drive Test）の機能を導入することを開始する。
【０００６】
ＭＤＴ機能は、ＵＥ（または端末と称される）を使用して測定情報を自動的に収集し、制御プレーン（Control Plane）シグナリングを通じて無線アクセスネットワーク（ＲＡＮ: Radio Access Network）の関係するネットワーク要素に測定情報を報告し、次いで、ネットワークカバレージの問題を発見および解決するといったネットワーク最適化のためにＲＡＮを通じて運用および保守システム（ＯＡＭ: Operation And Maintenance System）のトレース収集エンティティ（ＴＣＥ: Trace Collection Entity）に測定情報を報告する。ＵＴＲＡＮシステムの場合、ＲＡＮの関係するネットワーク要素は、主に無線ネットワークコントローラ（ＲＮＣ: radio network controller）を指す。Ｅ−ＵＴＲＡＮシステムの場合、ＲＡＮの関係するネットワーク要素は主に進化型ノードＢ（ｅＮＢ: evolved Node B）を指す。
【０００７】
Ｗｉｆｉ技術およびＢＴ技術の広範な適用により、ＷｉｆｉまたはＢＴ技術を用いることによって屋内測位または屋内測位をサポートするＭＤＴ機能をどのように実現するかは、解決すべき技術的課題である。
【発明の概要】
【課題を解決するための手段】
【０００８】
概要
本願の実施形態は、測位処理において消費されるエアインターフェイスリソースおよびコンピューティングリソースを節約し得る位置情報測定方法およびその実現方法、端末、ならびに、アクセスネットワーク要素を提供する。
【０００９】
本願の実施形態は、位置情報測定実現方法を提供する。当該方法は、アクセスネットワーク要素に適用され、以下に記載されるステップを含む。
【００１０】
補助測位情報が端末に送信され、補助測位情報は、測位測定のために端末によって使用される。
【００１１】
本願の実施形態は、位置情報測定方法を提供する。当該方法は、端末に適用され、以下のステップを含む。
【００１２】
アクセスネットワーク要素によって送信される補助測位情報が受け取られる。
測位測定は、補助測位情報に従って行われる。
【００１３】
本願の実施形態は、アクセスネットワーク要素を提供する。
アクセスネットワーク要素は、メモリと、プロセッサと、メモリに格納されるとともにプロセッサ上で実行可能な位置情報測定実現プログラムとを含み、位置情報測定実現プログラムは、プロセッサによって実行されると、上記位置情報測定実現方法を実現する。
【００１４】
本願の実施形態は、端末を提供する。
端末は、メモリと、プロセッサと、メモリに格納されるとともにプロセッサ上で実行可能な位置情報測定プログラムとを含み、位置情報測定プログラムは、プロセッサによって実行されると、上記位置情報測定方法を実現する。
【００１５】
本願の実施形態は、コンピュータ読取可能記憶媒体を提供する。コンピュータ読取可能記憶媒体は、プロセッサによって実行されると、上記位置情報測定実現方法を実現する位置情報測定実現プログラムを格納するように構成される。
【００１６】
本願の実施形態は、コンピュータ読取可能記憶媒体を提供する。コンピュータ読取可能記憶媒体は、プロセッサによって実行されると、上記位置情報測定方法を実現する位置情報測定プログラムを格納するように構成される。
【図面の簡単な説明】
【００１７】
【図１】本願の実施形態に従った屋内測位システムを示す構造図である。
【図２】本願の実施形態１に従った位置情報測定実現方法（アクセスネットワーク要素）のフローチャートである。
【図３】本願の実施形態２に従った位置情報測定実現方法（端末）のフローチャートである。
【図４】本願の実施形態３に従った位置情報測定の実現のためのアクセスネットワーク要素を示す構造図である。
【図５】本願の実施形態４に従った位置情報測定の実現のための端末を示す構造図である。
【図６】本願の例１に従った位置情報測定実現方法の情報インタラクションを示す概略図である。
【図７】本願の例２に従った位置情報測定実現方法の情報インタラクションを示す概略図である。
【図８】本願の例３に従った位置情報測定実現方法の情報インタラクションを示す概略図である。
【図９】本願の例４に従った位置情報測定実現方法の情報インタラクションを示す概略図である。
【図１０】本願の例５に従った位置情報測定実現方法の情報インタラクションを示す概略図である。
【図１１】本願の例６に従った位置情報測定実現方法の情報インタラクションを示す概略図である。
【図１２】本願の例７に従った位置情報測定実現方法の情報インタラクションを示す概略図である。
【図１３】本願の例８に従った位置情報測定実現方法の情報インタラクションを示す概略図である。
【図１４】本願の例９に従った位置情報測定実現方法の情報インタラクションを示す概略図である。
【発明を実施するための形態】
【００１８】
詳細な説明
以下、図面を参照して本願の実施形態が詳細に説明される。なお、本願における実施形態および特徴は、相反していなければ、互いに組み合わされてもよい。
【００１９】
図１は、屋内測位システムを示す。ワイヤレス通信システムとＢＴ（またはＷｉｆｉ）測位技術との組み合わせの元で、オペレータ（またはオペレータによって委任された第三者）のＢＴまたはＷｉｆｉ測位ノードデバイスが、基地局カバレージエリアにおいて事前に展開される。基地局は、端末がシグナリング構成を通じて屋内測位ノードの測定および報告を実現することを必要とする。屋内測位をサポートする端末が測位ノードの近傍に移動すると、端末は、これらの測位ノードのメディアアクセスレイヤー（ＭＡＣ：Media Access Control）アドレス情報と信号強度情報とを取得し、基地局に報告する。当該情報を取得した後、基地局は、位置を計算するために使用されるネットワークデバイスに当該情報を報告する。
【００２０】
３ＧＰＰは、ＵＴＲＡＮおよびＥ−ＵＴＲＡＮシステムのリリース１０（Release-10）においてＭＤＴ機能を導入することを開始する。ＵＴＲＡＮは、ノードｂおよび無線ネットワークコントローラ（ＲＮＣ: Radio Network Controller）を含む。Ｅ−ＵＴＲＡＮは、進化型ノードＢ（ｅＮＢ）を含む。ＵＴＲＡＮに対応するコアネットワーク（ＣＮ: core network）は、ホーム加入者サーバ（ＨＳＳ: Home Subscriber Server）、モバイル交換局サーバ（ＭＳＣＳ: Mobile Switching Center Server）、および、サービングＧＰＲＳサポートノード（ＳＧＳＮ: serving GPRS support node）などを含む。Ｅ−ＵＴＲＡＮに対応するＣＮは、ＨＳＳおよびモバイル管理エンティティ(ＭＭＥ: Mobile management entity）などを含む。
【００２１】
ＭＤＴ機能は、管理ベースのＭＤＴ（Management based MDT）機能とシグナリングベースのＭＤＴ（Signaling based MDT）機能とに分類される。Ｅ−ＵＴＲＡＮシステムは、本明細書において例として使用されている。管理ベースのＭＤＴ機能のアクティベーション処理は通常、ネットワーク管理システムと呼ばれる運用および保守システム（運用管理および保守（ＯＡＭ: Operations Administration and Maintenance））が、ＭＤＴ構成情報を含むトレースセッションアクティベーション（Trace Session Activation）メッセージをｅＮＢに送信し、ｅＮＢが、このメッセージによって特定されるエリア（Area）内の好適なＵＥを選択し、選択されたＵＥにＭＤＴ構成情報を送信することであるか、または、これを含む。シグナリングベースのＭＤＴ機能のアクティベーション処理は、ＯＡＭが、指定されたＵＥのＭＤＴ測定をアクティベートするよう、ＭＤＴ構成情報を含むトレースセッションアクティベーションメッセージをＨＳＳに送信し、ＨＳＳが、指定されたＵＥのＭＤＴ構成情報をＭＭＥに送信し、ＭＭＥが指定されたＵＥのＭＤＴ構成情報をｅＮＢに送信し、ｅＮＢが、最終的に、指定されたＵＥにＭＤＴ構成情報を送信することである。シグナリングベースのＭＤＴ機能のアクティベーション処理中は、通常、あるＵＥが、インターナショナルモバイルサブスクライバーアイデンティティ（ＩＭＳＩ: International Mobile Subscriber Identity）またはインターナショナルモバイルステーションエクイップメントアイデンティティ（ＩＭＥＩ: International Mobile Station Equipment Identity）を使用することにより指定されるか、または、ＵＥの選択は、エリア情報を追加することによって制限される。管理ベースのＭＤＴ機能およびシグナリングベースのＭＤＴ機能のトレースセッションアクティベーションメッセージは、ＯＡＭからのトレース参照（Trace Reference）情報を含み、トレース参照情報は、モバイル国コード（ＭＣＣ: Mobile Country Code）およびモバイルネットワークコード（ＭＮＣ: Mobile Network Code）からなる公衆陸上モバイルネットワーク（ＰＬＭＮ: Public Land Mobile Network）情報を含む。
【００２２】
端末が測位測定を行う場合、屋内のオペレータによって展開されるＢＴまたはＷｉｆｉ測位ノードデバイスに加えて、非オペレータによって提供されるＢＴデバイス（たとえば、車載端末またはハンドヘルド端末）または屋内のプライベートに構成されたＷｉｆｉデバイスが存在し得る。これらの非オペレータＢＴデバイスまたはプライベートに構成されたＷｉｆｉデバイスの情報は、位置情報を計算するのに有用ではない。関連技術において、端末は、オペレータＢＴ／ＷｉＦｉデバイスと非オペレータＢＴ／ＷｉＦｉデバイスとを区別できず、すべての近接するデバイスの情報を測定のために報告している。したがって、測定報告において、大量の無効な情報が搬送されている。無効な情報は、貴重なエアインターフェイスリソースを消費し、測位コンピューティングリソースを無駄にすることになる。
【００２３】
本願の実施形態の技術的ソリューションは、端末が、ネットワーク側の要件（たとえば、測位ノードのスクリーニング）に従って測位測定を行うことにより、測位測定処理において消費されるエアインターフェイスリソースおよびコンピューティングリソースを節約する位置情報測定方法およびその実現方法を提供する。
【００２４】
実施形態１
図２に示すように、本願の本実施形態は、位置情報測定実現方法を提供する。当該方法は、アクセスネットワーク要素に適用され、ステップＳ２１０およびＳ２２０を含む。
【００２５】
ステップＳ２１０では、補助測位情報が決定される。
補助測位情報は、測位測定のために端末によって使用される。
【００２６】
ステップＳ２２０では、補助測位情報が端末に送信される。
本願の実施形態は、位置情報測定方法および実現方法、端末、ならびに、アクセスネットワーク要素を提供する。アクセスネットワーク要素は、補助測位情報を端末に送信し、端末は、補助測位情報に従って測位測定を行う。本願の実施形態の技術的ソリューションは、測位処理において消費されるエアインターフェイスリソースおよびコンピューティングリソースを節約し得る。
【００２７】
一実施形態では、測位ノードは、ＢＴノードまたはＷｉｆｉノードを含む。
一実施形態では、アクセスネットワーク要素は基地局を含む。
【００２８】
基地局はｅＮＢまたはｇＮＢであり得る。
一実施形態では、補助測位情報は、測位ノードに関する情報と、端末によって報告される測位ノードの数についての制限しきい値と、有効な測位エリアに関する情報とのうちの少なくとも１つの情報を含む。
【００２９】
端末によって報告される測位ノードの数についての制限しきい値は、端末によって報告される測位ノードの数の最大値と、端末によって報告される測位ノードの数の最小値とを含み得るか、または、端末によって報告される測位ノードの数の最大値のみを含む。
【００３０】
有効な測位エリアに関する情報は、有効トラッキングエリア（ＴＡ: Tracking Area）リストおよびセルリストを含む。
【００３１】
一実施形態では、補助測位情報は、フィルタリング指示情報をさらに含んでもよい。フィルタリング指示情報は、端末が測位ノードをフィルタリングするか否かを示すように使用される。フィルタリング指示情報が測位ノードをフィルタリングするよう端末に命令する場合、端末は、補助測位情報要件を満たしていない測位ノードを除外するようフィルタリングし、補助測位情報要件を満たしている測位ノードの検出情報のみを報告するか、または、補助測位情報要件を満たしている測位ノードの検出情報に従って位置計算を行う。フィルタリング指示情報が、測位ノードをフィルタリングしないよう端末に命令する場合、端末は、端末によってリッスンされるすべての測位ノードの検出情報を報告するか、または、端末によってリッスンされるすべての測位ノードの検出情報に従って位置計算を行う。
【００３２】
一実施形態では、測位ノードに関する情報は、測位ノードのメディアアクセス制御（ＭＡＣ）アドレスと、測位ノードの特徴ＭＡＣアドレスと、測位ノードの名称と、測位ノードの特徴名称と、測位ノードのプロトコルバージョンと、測位ノードの動作帯域と、測位ノードの動作チャンネルと、測位ノードの信号強度と、測位ノードのタイプ情報と、測位ノードの位置情報とのうちの少なくとも１つの情報を含む。
【００３３】
測位ノードがＢＴノード（すなわちＢＴデバイス）である場合、ＢＴデバイスのＭＡＣアドレスは、４８ビット（bit）のビーコン識別子（Beacon identifier）であり得る。ＢＴデバイスを展開するオペレータによって購入されるＢＴデバイスのＭＡＣアドレスが連続的であり得ることを考慮すると、４８ビットのＭＡＣアドレスのうちのいくつかのビットは、オペレータによって展開されるＢＴデバイスの特徴ＭＡＣアドレス（ＭＡＣアドレスの特定部分）として機能し得、そのような特徴ＭＡＣアドレスは、測位ノードを識別するための補助測位情報として端末に対して構成され得る。ＢＴデバイスの名称について、オペレータは、各ＢＴデバイスのために固有の名称を構成し得る。オペレータによって均一に展開されるＢＴデバイスについて、すべてのＢＴデバイスが均一に名称付けされ、この均一に名称付けにおける名称特徴フィールドが、オペレータによって展開されるＢＴデバイスの特徴名称（名称の特定部分）として使用され得る。ＢＴデバイスの動作周波数範囲は、２４００〜２４８３．５ＭＨｚであり、オペレータによって展開されるＢＴデバイスの動作周波数は、その周波数範囲の一部分であってもよい。ＢＴデバイスのプロトコルバージョンは、ブルートゥースプロトコルバージョン５または他のブルートゥースプロトコルバージョンであってもよい。ＢＴの周波数帯域は異なる帯域に分割され得、帯域情報はＢＴデバイスの動作チャンネルとして使用される。ＢＴデバイスの信号強度は、端末によって受け取られるＢＴデバイスの受信信号強度指示（ＲＳＳＩ: Received Signal Strength Indication）であり得る。ＢＴデバイスのタイプ情報は、ブルートゥースプロトコルバージョン、送信パワー、アンテナゲインおよびカバレージのうちの少なくとも１つの情報を含み得る。
【００３４】
測位ノードがＷｉｆｉノード（すなわち、Ｗｉｆｉデバイス）である場合、ＷｉｆｉデバイスのＭＡＣアドレスは、３ＧＰＰプロトコル３６．３０５において定義されるベーシックサービスセット識別子（ＢＳＳＩＤ: Basic Service Set Identifier）であり得る。Ｗｉｆｉデバイスの名称は、３ＧＰＰプロトコル３６．３０５において定義されるサービスセット識別子（ＳＳＩＤ: Service Set Identifier）であり得る。Ｗｉｆｉデバイスを展開するオペレータは、異なる名称を有する各Ｗｉｆｉデバイスを構成するか、または、同じ名称を有するＷｉｆｉデバイスのグループを構成する。Ｗｉｆｉデバイスの特徴名称については、Ｗｉｆｉデバイスを展開するオペレータは、展開されたＷｉｆｉデバイスに均一に名称付けし得、このような均一な名称付けにおける名称特徴フィールドは、オペレータによって展開されるＷｉｆｉデバイスの特徴名称（名称の特定の部分）として使用され得る。Ｗｉｆｉデバイスのタイプ情報は、ワイヤレスプロトコルバージョン（たとえば、８０２．１１ａ／ｂ／ｇ／ｎ／ａｃ／ａｄなど）、送信パワー、アンテナゲイン、およびカバレージのうちの少なくとも１つの情報を含み得る。Ｗｉｆｉデバイスのバージョンは、８０２．１１ａまたは他のバージョンであり得る。Ｗｉｆｉデバイスの位置情報は、３ＧＰＰプロトコル３６．３５５において定義されるワイヤレスアクセスポイント（ＡＰ: Access Point）位置（location）であり得、当該３ＧＰＰプロトコル３６．３５５は、位置を直接的に計算するために端末によって使用される。
【００３５】
一実施形態では、測位ノードがＷｉｆｉノードである場合、測位ノードに関する情報は、ワイヤレスローカルエリアネットワーク（ＷＬＡＮ）支援データ要素（ＷＡＤＥ: WLAN Assistance Data Element）をさらに含み得る。ＷＡＤＥは、３ＧＰＰプロトコル３６．３５５におけるＷＡＤＥであり得る。
【００３６】
一実施形態では、補助測位情報を端末に送信するステップは、アクセスネットワーク要素が補助測位情報をシステムブロードキャストメッセージを通じて端末に送信することを含む。
【００３７】
一実施形態では、補助測位情報を決定するステップは、アクセスネットワーク要素がコアネットワーク要素から補助測位情報を取得することを含む。
【００３８】
アクセスネットワーク要素とコアネットワーク要素との間のインターフェイスは、Ｓ１インターフェイスまたはＮ２インターフェイスである。
【００３９】
一実施形態では、コアネットワーク要素は、位置計算センターノード（たとえば、エンハンストサービングモバイル位置センター（Ｅ−ＳＭＬＣ: Enhanced Serving Mobile Location Center）デバイス）またはモバイル管理エンティティ（ＭＭＥ: Mobile Management Entity）を含む。
【００４０】
一実施形態では、補助測位情報を決定するステップは、アクセスネットワーク要素がネットワーク管理デバイスから補助測位情報を取得することを含む。アクセスネットワーク要素とネットワーク管理デバイスとの間のインターフェイスはノースバウンドインターフェイスである。
【００４１】
一実施形態では、補助測位情報を決定するステップは、アクセスネットワーク要素が近隣の基地局デバイスから補助測位情報を取得することを含む。アクセスネットワーク要素と近隣の基地局との間のインターフェイスは、Ｘ２インターフェイスまたはＸｎインターフェイスである。
【００４２】
一実施形態では、補助測位情報を決定するステップは、アクセスネットワーク要素が中央ユニット（ＣＵ: central unit）および分散ユニット（ＤＵ: distributed unit）を含む場合、ＤＵがＣＵから補助測位情報を取得することを含む。
【００４３】
補助測位情報を端末に送信するステップは、アクセスネットワーク要素がＣＵおよびＤＵを含む場合、ＤＵが補助測位情報を端末に送信するステップを含む。ＣＵとＤＵとの間のインターフェイスは、Ｆ１インターフェイスである。
【００４４】
一実施形態では、当該方法は、補助測位情報が端末に送信された後、アクセスネットワーク要素が端末によって報告される端末測位測定情報を受け取ること、または、アクセスネットワーク要素が端末によって報告される端末測位計算情報を受け取ることをさらに含む。
【００４５】
端末測位測定情報は、端末が補助測位情報に従って測定を行った後に取得される位置測定情報である。端末測位計算情報は、端末が補助測位情報に従って測定および位置計算を行った後に取得される位置計算結果情報である。
【００４６】
本実施形態では、アクセスネットワーク要素（基地局）は、補助測位情報を端末に送信し、補助測位情報は、測位ノードをフィルタリングするように端末に命令し得る。端末がネットワーク側要件を満たす測位ノードに従って測位測定を行う必要のみがある場合、エアインターフェイスリソースおよびコンピューティングリソースが節約され得る。
【００４７】
実施形態２
図３に示すように、本願の本実施形態は、位置情報測定方法を提供する。当該方法は、端末に適用され、ステップＳ３１０およびＳ３２０を含む。
【００４８】
ステップＳ３１０では、アクセスネットワーク要素によって送信される補助測位情報が受け取られる。
【００４９】
ステップＳ３２０では、補助測位情報に従って測位測定が行われる。
一実施形態では、測位ノードは、ＢＴノードまたはＷｉｆｉノードを含む。
【００５０】
一実施形態では、アクセスネットワーク要素は基地局を含む。
基地局はｅＮＢまたはｇＮＢであり得る。
【００５１】
一実施形態では、補助測位情報は、測位ノードに関する情報と、端末によって報告される測位ノードの数についての制限しきい値と、有効な測位エリアに関する情報とのうちの少なくとも１つの情報を含む。
【００５２】
一実施形態では、測位ノードに関する情報は、測位ノードのＭＡＣアドレスと、測位ノードの特徴ＭＡＣアドレスと、測位ノードの名称と、測位ノードの特徴名称と、測位ノードのプロトコルバージョンと、測位ノードの動作帯域と、測位ノードの動作チャンネルと、測位ノードの信号強度と、測位ノードのタイプ情報と、測位ノードの位置情報とのうちの少なくとも１つの情報を含む。
【００５３】
端末によって報告される測位ノードの数についての制限しきい値は、端末によって報告される測位ノードの数の最大値と、端末によって報告される測位ノードの数の最小値とを含み得、または、端末によって報告される測位ノードの数の最大値のみを含む。
【００５４】
有効な測位エリアに関する情報は、有効なＴＡ（Tracking Area）リストおよびセルリストを含む。
【００５５】
一実施形態では、補助測位情報は、フィルタリング指示情報をさらに含み得る。フィルタリング指示情報は、端末が測位ノードをフィルタリングするか否かを示すように使用される。フィルタリング指示情報が端末に測位ノードをフィルタリングすることを命令する場合、端末は、補助測位情報要件を満たしていない測位ノードを除外するようフィルタリングし、補助測位情報要件を満たしている測位ノードの検出情報のみを報告するか、または、補助測位情報要件を満たしている測位ノードの検出情報に従って位置計算を行う。フィルタリング指示情報が、測位ノードをフィルタリングしないよう端末に命令する場合、端末は、端末によってリッスンされるすべての測位ノードの検出情報を報告するか、または、端末によってリッスンされるすべての測位ノードの検出情報に従って位置計算を行う。
【００５６】
一実施形態では、補助測位情報に従って測位測定を実行するステップは、以下のステップを含む。
【００５７】
測位ノードは補助測位情報に従ってフィルタリングされ、補助測位情報要件を満たさない測位ノードは除外されるようにフィルタリングされ、フィルタリング後に得られる測位ノードに従って測位測定が行われる。
【００５８】
本実施形態では、端末がアクセスネットワーク要素（基地局）によって送信される補助測位情報を受け取った後、端末が複数の測位ノード（オペレータによって展開される測位ノードまたは展開されない測位ノードを含む）の信号を監視する場合、端末は、補助測位情報要件を満たす測位ノード（たとえば、位置を計算するのに有用な測位ノード）を取得するために、補助測位情報要件に従ってすべての監視された測位ノードをフィルタリングし得、端末は、フィルタリング動作後に取得される有効な測位ノードを測定し、測定結果を報告し、これにより、エアインターフェイスリソースおよびコンピューティングリソースが節約される。
【００５９】
実施形態３
図４に示されるように、本願の本実施形態は、アクセスネットワーク要素を提供する。アクセスネットワーク要素は、情報決定モジュール４０１および情報送信モジュール４０２を含む。
【００６０】
情報決定モジュール４０１は、補助測位情報を決定するように構成され、補助測位情報は、測位測定のために端末によって使用される。
【００６１】
情報送信モジュール４０２は、補助測位情報を端末に送信するように構成される。
一実施形態では、補助測位情報は、測位ノードに関する情報と、端末によって報告される測位ノードの数についての制限しきい値と、有効な測位エリアに関する情報とのうちの少なくとも１つの情報を含む。
【００６２】
一実施形態では、測位ノードに関する情報は、測位ノードのＭＡＣアドレスと、測位ノードの特徴ＭＡＣアドレスと、測位ノードの名称と、測位ノードの特徴名称と、測位ノードのプロトコルバージョンと、測位ノードの動作帯域と、測位ノードの動作チャンネルと、測位ノードの信号強度と、測位ノードのタイプ情報と、測位ノードの位置情報とのうちの少なくとも１つの情報を含む。
【００６３】
ある実施形態では、情報送信モジュールは、補助測位情報を位置サービス（ＬＣＳ: Location service）シグナリングまたは無線リソース制御ＲＲＣシグナリングを通じて端末に送信する態様を使用することにより補助測位情報を端末に送信するように構成される。
【００６４】
一実施形態では、情報送信モジュールは、補助測位情報をシステムブロードキャストメッセージを通じて端末に送信する態様を使用することにより補助測位情報を端末に送信するように構成される。
【００６５】
一実施形態では、情報決定モジュールは、コアネットワーク要素から補助測位情報を取得する態様、ネットワーク管理デバイスから補助測位情報を取得する態様、または、近隣の基地局デバイスから補助測位情報を取得する態様を使用することにより補助測位情報を決定するように構成される。
【００６６】
一実施形態では、測位ノードは、ＢＴノードまたはＷｉｆｉノードを含む。
アクセスネットワーク要素は基地局を含む。
【００６７】
実施形態４
図５に示すように、本願の本実施形態は、端末を提供する。端末は、情報取得モジュール５０１および測位測定モジュール５０２を含む。
【００６８】
情報取得モジュール５０１は、アクセスネットワーク要素によって送信される補助測位情報を受け取るように構成される。
【００６９】
測位測定モジュール５０２は、補助測位情報に従って測位測定を実行するように構成される。
【００７０】
一実施形態では、測位ノードは、ＢＴノードまたはＷｉｆｉノードを含む。
一実施形態では、アクセスネットワーク要素は基地局を含む。
【００７１】
基地局はｅＮＢまたはｇＮＢであり得る。
一実施形態では、補助測位情報は、測位ノードに関する情報と、端末によって報告される測位ノードの数についての制限しきい値と、有効な測位エリアに関する情報とのうちの少なくとも１つの情報を含む。
【００７２】
一実施形態では、測位ノードに関する情報は、測位ノードのＭＡＣアドレスと、測位ノードの特徴ＭＡＣアドレスと、測位ノードの名称と、測位ノードの特徴名称と、測位ノードのプロトコルバージョンと、測位ノードの動作帯域と、測位ノードの動作チャンネルと、測位ノードの信号強度と、測位ノードのタイプ情報と、測位ノードの位置情報とのうちの少なくとも１つの情報を含む。
【００７３】
一実施形態では、測位測定モジュールは、補助測位情報要件を満たさない測位ノードが除外されるようフィルタリングが行われるように、補助測位情報に従って測位ノードをフィルタリングし、フィルタリング後に取得される測位ノードに従って測位測定を行う態様を使用することにより補助測位情報に従って測位測定を実行するように構成される。
【００７４】
実施形態５
本願の本実施形態は、アクセスネットワーク要素を提供する。
【００７５】
アクセスネットワーク要素は、メモリと、プロセッサと、メモリに格納されるとともにプロセッサ上で実行可能な位置情報測定実現プログラムとを含み、位置情報測定実現プログラムは、プロセッサによって実行されると、実施形態１において記載される位置情報測定実現方法を実現する。
【００７６】
実施形態６
本願の本実施形態は、端末を提供する。
【００７７】
端末は、メモリと、プロセッサと、メモリに格納されるとともにプロセッサ上で実行可能な位置情報測定プログラムとを含み、位置情報測定プログラムは、プロセッサによって実行されると、実施形態２において記載される位置情報測定方法を実現する。
【００７８】
実施形態７
本願の本実施形態は、コンピュータ読取可能記憶媒体を提供する。コンピュータ読取可能記憶媒体は、プロセッサによって実行されると、実施形態１に記載の位置情報測定実現方法を実現する位置情報測定実現プログラムを格納するよう構成される。
【００７９】
実施形態８
本願の本実施形態は、コンピュータ読取可能記憶媒体を提供する。コンピュータ読取可能記憶媒体は、プロセッサによって実行されると、実施形態２において記載される位置情報測定方法を実現する位置情報測定プログラムを格納するように構成される。
【００８０】
前述の開示された方法のステップ、システム、および装置のすべてまたは部分における機能的なモジュール／ユニットは、ソフトウェア、ファームウェア、ハードウェア、および、それらの適切な組み合わせとして実現され得ることが、当業者によって理解されるであろう。ハードウェア実現例では、上記の記載において言及された機能的なモジュール／ユニットの分割は、物理的構成要素の分割に対応しない場合がある。たとえば、１つの物理的構成要素は、いくつかの機能を有してもよく、または、１つの機能もしくはステップは、いくつかの物理的構成要素によって一緒に実現されてもよい。いくつかまたはすべての構成要素は、デジタル信号プロセッサまたはマイクロコントローラのようなプロセッサによって実行されるソフトウェア、ハードウェア、または、特定用途向け集積回路のような集積回路として実現されてもよい。そのようなソフトウェアは、コンピュータ記憶媒体（または一時的でない媒体）および通信媒体（または一時的である媒体）を含み得るコンピュータ読取可能媒体上で配布され得る。当業者には既知であるように、コンピュータ記憶媒体という用語は、情報（たとえば、コンピュータ読取可能命令、データ構造、プログラムモジュール、または、他のデータ）を格納するための任意の方法または技術において実現される揮発性および不揮発性のリムーバブルおよび非リムーバブル媒体を含む。コンピュータ記憶媒体は、ランダムアクセスメモリ（ＲＡＭ: Random Access Memory）、リードオンリメモリ（ＲＯＭ: Read-Only Memory）、電気的消去可能プログラマブルリードオンリメモリ（ＥＥＰＲＯＭ: Electrically Erasable Programmable Read-Only Memory）、フラッシュメモリもしくは他のメモリ技術、コンパクトディスクリードオンリメモリ（ＣＤ−ＲＯＭ: Compact Disc Read-Only Memory）、デジタルバーサタイルディスク（ＤＶＤ: Digital Versatile Disc）もしくは他の光ディスクストレージ、磁気カセット、磁気テープ、ディスク記憶装置もしくは他の磁気記憶装置、または、所望の情報を格納するために使用されるとともにコンピュータによってアクセス可能な任意の他の媒体を含むが、これらに限定されない。さらに、当業者には既知であるように、通信媒体は一般に、搬送波といった変調されたデータ信号または他の伝送メカニズムにおけるコンピュータ読取可能命令、データ構造、プログラムモジュール、または他のデータを含み、任意の情報送達媒体を含み得る。
【００８１】
本願の位置情報測定方法およびその実現方法が、以下の例を用いてさらに以下に記載される。
【００８２】
例１
この例では、端末は、位置サービス（ＬＣＳ: location service）をサポートする端末であり、基地局は、ｅＮＢまたはｇＮＢである。端末支援測位モードのシナリオでは、基地局は、位置計算センターノード（たとえば、Ｅ−ＳＭＬＣデバイス）から補助測位情報を取得し、当該情報を端末に送信する。
【００８３】
この例は、図６に示すように、位置情報測定方法を提供する。この方法は、ステップ１〜４を含む。
【００８４】
ステップ１では、位置計算センターノードは、補助測位情報を基地局を通じて端末に送信する。
【００８５】
ステップ２では、端末は、補助測位情報に従って測位ノードをフィルタリングする。
たとえば、いくつかのオペレータは、そのデバイス名称が、測位ノードデバイスの特徴である特定の文字列を有する展開されたＢＴノードまたはＷｉｆｉノードを均一に名称付けし得る。
【００８６】
端末がＢＴデバイスまたはＷｉｆｉデバイスをサーチすると、いくつかのＢＴデバイスまたはＷｉｆｉデバイスは、文字列の特徴に従って、除外されるようにフィルタリングされ得る。したがって、端末は、無関係なＢＴデバイスまたはＷｉｆｉデバイスの測定情報をもはや報告することはない。
【００８７】
オペレータの他の必要性のために、オペレータは、ネットワークにおいて検出可能なすべてのデータといったより完全な情報を端末が報告することを望む場合がある。この場合において、補助測位情報におけるデバイス特性に合致しないＢＴデバイスまたはＷｉｆｉデバイスをサーチするよう、補助測位情報において端末が命令され得ると、デバイス特性に合致しないＢＴデバイスまたはＷｉｆｉデバイスについても測定および報告が行われる。
【００８８】
ステップ３では、端末は、フィルタリングされた測定結果を基地局を通じて位置計算センターノードに報告する。
【００８９】
ステップ４では、位置計算センターノードは、端末の位置を計算する。
他の実施形態では、基地局がＣＵ−ＤＵアーキテクチャをサポートする場合、ＣＵは、ＤＵに対する補助測位情報を構成し得、ＤＵは、ＣＵに対する補助測位情報を構成し得る。
【００９０】
他の実施形態では、接続された状態の端末がソース基地局にアクセスした後、当該端末は、ＬＣＳシグナリングまたはＲＲＣシグナリングから補助測位情報を取得する。接続された状態の端末がターゲット基地局に移動すると、端末は、ＬＣＳシグナリングまたはＲＲＣシグナリングからアップデートされた補助測位情報を取得し、アップデートされた補助測位情報に従って測位ノードをフィルタリングして位置測定を行う。
【００９１】
例２
この例では、端末はＬＣＳをサポートする端末であり、基地局はｅＮＢまたはｇＮＢである。端末支援測位モードのシナリオでは、端末は、基地局を通じて位置計算センターノード（たとえばＥ−ＳＭＬＣデバイス）からの補助測位情報を要求し、基地局は、位置計算センターノード（たとえばＥ−ＳＭＬＣデバイス）から補助測位情報を取得し、当該情報を端末に送信する。
【００９２】
この例は、図７に示すように、位置情報測定方法を提供する。当該方法は、ステップ１〜５を含む。
【００９３】
ステップ１では、端末は、基地局を通じて位置計算センターノードに補助測位情報を構成するよう要求する。
【００９４】
端末は、補助測位情報を構成することを要求する際に、付加情報を搬送し得、位置計算センターノードは、付加情報に従って補助測位情報を決定し得る。
【００９５】
たとえば、端末は、端末が監視することを望む周波数帯域情報を付加情報に含め得る。位置算出センターノードは、付加情報を受け取った後、端末によって報告された周波数帯域または関連する周波数帯域を補助測位情報として取得し、当該情報を端末に送信する。
【００９６】
ステップ２では、位置計算センターノードは、補助測位情報を基地局を通じて端末に送信する。
【００９７】
ステップ３では、端末は、補助測位情報に従って測位ノードをフィルタリングする。
ステップ４では、端末は、フィルタリングされた測定結果を基地局を通じて位置計算センターノードに報告する。
【００９８】
ステップ５では、位置計算センターノードは、端末の位置を計算する。
例３
この例では、端末は、ログ記録ＭＤＴ（logged MDT）機能をサポートする端末であり、基地局はｅＮＢまたはｇＮＢである。端末支援測位モードのシナリオでは、基地局は、端末のためのログ記録タイプのＭＤＴ測定構成情報を構成する。測定構成情報は補助測位情報を含む。
【００９９】
この例は、図８に示すように、位置情報測定方法を提供する。当該方法は、ステップ１〜５を含む。
【０１００】
ステップ１では、基地局は、端末のためのログ記録タイプのＭＤＴ測定構成情報を構成する。ログ記録タイプのＭＤＴ測定構成情報は、補助測位情報を含む。
【０１０１】
ステップ２では、端末は、補助測位情報に従って測位ノードをフィルタリングする。
ステップ３では、基地局は、ログ記録タイプのＭＤＴ測定結果の取得を要求する。
【０１０２】
基地局は、端末にＵＥ情報要求(UE Information Request)メッセージを送信することによって、ログ記録タイプのＭＤＴ測定結果の取得を要求し得る。
【０１０３】
ステップ４では、端末は、ログ記録タイプのＭＤＴ測定結果を基地局に報告する。
端末は、ＵＥ情報応答(UE Information Response)メッセージを基地局に送信することによって、ログ記録タイプのＭＤＴ測定結果を搬送し得る。
【０１０４】
ステップ５では、基地局は、端末位置を計算するために、測定結果を位置計算センターノードに報告する。
【０１０５】
例４
この例では、基地局はｅＮＢまたはｇＮＢである。端末支援測位モードのシナリオでは、基地局は、測定を行うために、即時のＭＤＴ（immediate MDT）の態様を使用し、基地局は、端末のための無線リソース管理（ＲＲＭ: Radio Resource Management）測定構成情報を構成する。ＲＲＭ測定構成情報は、補助測位情報を含む。
【０１０６】
この例は、図９に示すように、位置情報測定方法を提供する。この方法は、ステップ１〜５を含む。
【０１０７】
ステップ１では、基地局は端末のためのＲＲＭ測定構成情報を構成する。ＲＲＭ測定構成情報は補助測位情報を含む。
【０１０８】
基地局は、ＲＲＣ接続再構成(RRC Connection Reconfiguration)メッセージを端末に送信することによってＲＲＣ測定構成を実行し得る。
【０１０９】
ステップ２では、端末はＲＲＭ測定構成応答を基地局に返す。
端末は、ＲＲＣ接続再構成完了(RRC Connection Reconfiguration Complete)メッセージを基地局に送信することによってＲＲＭ測定構成を実行し得る。
【０１１０】
ステップ３では、端末は、補助測位情報に従って測位ノードをフィルタリングする。
ステップ４では、端末は、測定結果を基地局に報告する。
【０１１１】
端末は、基地局に測定報告(measurement report)メッセージを送信することによって測定結果を搬送し得る。
【０１１２】
ステップ５では、基地局は、端末位置を計算するために、測定結果を位置計算センターノードに報告する。
【０１１３】
他の実施形態では、接続された状態の端末がソース基地局にアクセスした後、当該端末は、ＬＣＳシグナリングまたはＲＲＣシグナリングから補助測位情報を取得する。接続された状態の端末がターゲット基地局に移動すると、端末は、ＬＣＳシグナリングまたはＲＲＣシグナリングからアップデートされた補助測位情報を取得し、端末はアップデートされた補助測位情報に従って測位ノードをフィルタリングして位置測定を行う。
【０１１４】
例５
この例では、基地局はｅＮＢまたはｇＮＢである。端末支援測位モードのシナリオでは、シグナリングベースのＭＤＴ機能が基地局と端末との間で使用される。基地局は、コアネットワーク要素、すなわちＭＭＥからシグナリングベースのＭＤＴ測定構成を取得する。シグナリングベースのＭＤＴ測定構成は補助測位情報を含む。基地局は、シグナリングベースのＭＤＴ測定構成を端末に送信する。他の実施形態では、コアネットワーク要素は、認証管理機能（ＡＭＦ: Authentication Management Function）であってもよい。
【０１１５】
この例は、図１０に示すように、位置情報測定方法を提供する。この方法は、ステップ１〜６を含む。
【０１１６】
ステップ１では、ＭＭＥは、シグナリングベースのＭＤＴ測定構成情報を基地局に送信する。シグナリングベースのＭＤＴ測定構成は補助測位情報を含む。
【０１１７】
Ｓ１インターフェイスメッセージまたはＮ２インターフェイスメッセージは、ＭＤＴ測定構成のために、ＭＭＥと基地局との間で使用され得る。
【０１１８】
ステップ２では、基地局はＭＭＥにＭＤＴ測定構成応答を返す。
ステップ３では、基地局は、ＭＤＴ測定のために端末を構成する。構成情報は、補助測位情報を含む。
【０１１９】
ステップ４では、端末は、補助測位情報に従って測位ノードをフィルタリングする。
ステップ５では、端末はＭＤＴ測定結果を基地局に報告する。
【０１２０】
ステップ６では、基地局は、端末位置を計算するために、ＭＤＴ測定結果を位置計算センターノードに報告する。
【０１２１】
例６
この例では、基地局はｅＮＢまたはｇＮＢである。端末支援測位モードのシナリオでは、管理ベースのＭＤＴ機能が基地局と端末との間で使用される。基地局は、管理ベースのＭＤＴ測定構成をネットワーク管理デバイスから取得する。管理ベースのＭＤＴ測定構成は、補助測位情報を含む。基地局は、管理ベースのＭＤＴ測定構成を端末に送信する。
【０１２２】
この例は、図１１に示すように、位置情報測定方法を提供する。当該方法は、ステップ１〜６を含む。
【０１２３】
ステップ１では、ネットワーク管理デバイスは、管理ベースのＭＤＴ測定構成情報を基地局に送信する。管理ベースのＭＤＴ測定構成情報は、補助測位情報を含む。
【０１２４】
ノースバウンドインターフェイスメッセージは、ＭＤＴ測定構成のために、ネットワーク管理デバイスと基地局との間で使用され得る。
【０１２５】
ステップ２では、基地局は、ＭＤＴ測定構成応答をネットワーク管理デバイスに返す。
ステップ３では、基地局は、ＭＤＴ測定のために端末を構成する。構成情報は、補助測位情報を含む。
【０１２６】
ステップ４では、端末は、補助測位情報に従って測位ノードをフィルタリングする。
ステップ５では、端末はＭＤＴ測定結果を基地局に報告する。
【０１２７】
ステップ６では、基地局は、端末位置を計算するために、ＭＤＴ測定結果を位置計算センターノードに報告する。
【０１２８】
例７
この例では、基地局１はｅＮＢまたはｇＮＢであり、基地局２もｅＮＢまたはｇＮＢである。端末支援測位モードのシナリオでは、基地局２は、近隣の基地局（たとえば、基地局１）から補助測位情報を取得し、補助測位情報を端末に送信する。
【０１２９】
この例は、図１２に示すように、位置情報測定方法を提供する。当該方法は、ステップ１〜６を含む。
【０１３０】
ステップ１では、基地局１は、補助測位情報を基地局２に送信する。
基地局１および基地局２は近隣の基地局であり、補助測位情報を送信するために、基地局１と基地局２との間ではＸ２インターフェイスメッセージまたはＸｎインターフェイスメッセージが使用され得る。
【０１３１】
ステップ２では、基地局２は、構成応答を基地局１に返す。
ステップ３では、基地局２は、補助測位情報を格納し、当該補助測位情報を端末に送信する。
【０１３２】
ステップ４では、端末は、補助測位情報に従って測位ノードをフィルタリングする。
ステップ５では、端末は、測定結果を基地局２に報告する。
【０１３３】
ステップ６では、基地局２は、端末位置を算出するために、測定結果を位置算出センターノードに報告する。
【０１３４】
例８
この例では、基地局はｅＮＢまたはｇＮＢである。端末測位モード（端末が独立して位置情報を計算する）シナリオでは、基地局は、補助測位情報を端末に送信する。補助測位情報は、測位ノードの位置情報を含む。
【０１３５】
この例は、図１３に示すように、位置情報測定方法を提供する。当該方法は、ステップ１〜４を含む。
【０１３６】
ステップ１では、基地局は、端末に補助測位情報を送信する。補助測位情報は、あらかじめ展開された測位ノードの位置情報を含む。
【０１３７】
補助測位情報を搬送するメッセージは、ＬＣＳ構成メッセージであり得る。ＬＣＳ構成メッセージは、基地局によって構成されるＲＲＣ接続再構成(RRC connection reconfiguration)メッセージ、または、ログ記録測定構成(logged measurement configuration)メッセージであり得る。
【０１３８】
ステップ２では、端末は基地局に構成応答を返す。
ステップ３では、端末は、補助測位情報に従って測位ノードをフィルタリングし、フィルタリングされた測位ノードに従って位置測定および計算を行い、端末の位置計算結果を取得する。
【０１３９】
ステップ４では、端末は、端末の位置計算結果を基地局に報告する。
例９
この例では、基地局はｅＮＢまたはｇＮＢである。端末支援測位モードのシナリオでは、補助測位情報は、システムブロードキャストメッセージを通じて基地局と端末との間で搬送される。
【０１４０】
この例は、図１４に示すように、位置情報測定方法を提供する。当該方法は、ステップ１〜４を含む。
【０１４１】
ステップ１では、基地局は、システムブロードキャストメッセージを端末に送信する。システムブロードキャストメッセージは、補助測位情報を含む。
【０１４２】
ステップ２では、端末は、補助測位情報に従って測位ノードをフィルタリングする。
ステップ３では、端末は、測定結果を基地局に報告する。
【０１４３】
ステップ４では、基地局は、端末位置を計算するために、測定結果を位置計算センターに報告する。
【０１４４】
他の実施形態では、アイドル状態の端末がソース基地局内に存在する場合、または、接続された状態の端末がソース基地局にアクセスする場合、当該端末は、システムブロードキャストメッセージから補助測位情報を取得し得る。アイドル状態の端末または接続された状態の端末がターゲット基地局に移動した後、当該端末は、システムブロードキャストメッセージからアップデートされた補助測位情報を取得し得る。端末は、アップデートされた補助測位情報に従って測位ノードをフィルタリングし、位置測定を行う。
【図１】
2021520715.tif 000003
【図２】
2021520715.tif 000004
【図３】
2021520715.tif 000005
【図４】
2021520715.tif 000006
【図５】
2021520715.tif 000007
【図６】
2021520715.tif 000008
【図７】
2021520715.tif 000009
【図８】
2021520715.tif 000010
【図９】
2021520715.tif 000011
【図１０】
2021520715.tif 000012
【図１１】
2021520715.tif 000013
【図１２】
2021520715.tif 000014
【図１３】
2021520715.tif 000015
【図１４】
2021520715.tif 000016
【国際調査報告】
2021520715.tif 000017
2021520715.tif 000018
2021520715.tif 000019
2021520715.tif 000020